(57)【要約】【課題】ケーブル接続検知回路での判別結果を基に、内設されているレジスタ群を直接制御して、外部制御装置を介さずに短時間で電力制御を行う。【解決手段】映像音声データを処理するディジタル処理部１２２と、ディジタル処理部１２２からのデータを受信装置１４０へ送信および、受信装置１４０との通信状態（可能／不可能）判別を行う通信処理部１２１と、受信装置１４０と接続状態であるかどうかを判別する接続状態検知回路１１４と、ディジタル処理部１２２と通信処理部１２１を制御するためのレジスタ群１１３と、レジスタ群１１３の状態を任意の外部制御装置１３０に対して通知する割り込み通知部１１１と、外部制御装置１３０との通信を行うためのインターフェース部１１２とを設ける。接続状態検知回路１１４は受信装置１４０との接続状態を判別し、その結果に応じてレジスタ群１１３を直接制御し、送信デバイスの電力制御を自動的に行う。【選択図】図１
2008204267.tif 000002
【特許請求の範囲】
【請求項１】
映像音声データをディジタル処理するディジタル処理手段と、前記ディジタル処理手段からのデータを任意の外部装置へ送信する通信処理手段と、前記通信処理手段と前記外部装置とが接続状態であるかどうかを判別する接続状態判別手段と、前記ディジタル処理手段および前記通信処理手段を電力制御を含んで制御する制御手段と、前記制御手段の状態を任意の外部制御装置に対して通知する通知手段と、前記外部制御装置と前記制御手段との通信を行うインターフェース手段とを備え、
前記接続状態判別手段は、前記外部装置との接続状態を判別した結果に基づいて前記制御手段を直接制御することにより前記制御手段に前記ディジタル処理手段および前記通信処理手段の電力制御を行わせることを特徴とする送信デバイス。
【請求項２】
前記接続状態判別手段により前記制御手段を直接制御することによる前記ディジタル処理手段および前記通信処理手段の電力制御の有効と無効とを切り替える第１の電力制御切り替え手段を備えた請求項１記載の送信デバイス。
【請求項３】
前記第１の電力制御切り替え手段は、前記制御手段によって切り替え制御される請求項２記載の送信デバイス。
【請求項４】
前記外部装置と前記通信処理手段との間の通信が可能か不可能かを判別する通信状態判別手段を備え、
前記通信状態判別手段は、前記ディジタル処理手段および前記通信処理手段とは電源が分離して設けられ、
前記通信状態判別手段は、前記外部装置との通信状態を判別した結果に基づいて前記制御手段を直接制御することにより前記制御手段に前記ディジタル処理手段および前記通信処理手段の電力制御を行わせることを特徴とする請求項１記載の送信デバイス。
【請求項５】
前記通信状態判別手段により前記制御手段を直接制御することによる前記ディジタル処理手段および前記通信処理手段の電力制御の有効と無効とを切り替える第２の電力制御切り替え手段を備えた請求項４記載の送信デバイス。
【請求項６】
前記第２の電力制御切り替え手段は、前記制御手段によって切り替え制御される請求項５記載の送信デバイス。
【発明の詳細な説明】
【技術分野】
【０００１】
本発明は、送信装置と受信装置との間で映像および音声情報を伝送するために使用される高速インターフェース、特にＨＤＭＩ（High Definition Multimedia Interface）規格に準拠した送信デバイスに関するものである。
【背景技術】
【０００２】
図５は、従来のＨＤＭＩ送信デバイスに関する構成を示すブロック図である。同図において、符号５４０はＨＤＭＩ受信デバイスを備えた受信装置を示す。符号５５０は映像音声情報の伝送に使用されるＨＤＭＩケーブルを示し、符号５５０ａおよび５５０ｂはＨＤＭＩケーブル５５０を構成する信号線を示す。信号線５５０ａには映像音声情報や受信装置５４０との通信が可能か不可能かを示す情報が伝送され、信号線５５０ｂには受信装置５４０と接続状態であるかどうかを示す情報が伝送される。
【０００３】
符号５２２は映像音声情報のディジタル処理を行うディジタル処理部を示す。符号５２１はディジタル処理部５２２からの映像音声情報を受信装置５４０へ伝送する通信処理部を示す。符号５２３は通信処理部５２１に内設され受信装置５４０との通信可能／不可能状態を判別する通信状態検知回路を示す。符号５２０は通信処理部５２１とディジタル処理部５２２とから構成される映像音声処理部を示す。
【０００４】
符号５１４はＨＤＭＩケーブル５５０によって受信装置５４０と接続されているかを判別する接続状態検知回路を示す。
【０００５】
符号５１３は映像音声処理部５２０の制御を行うレジスタ群を示す。符号５１３ａはレジスタ群５１３に内設され接続状態検知回路５１４からの情報を保持する接続状態レジスタを示す。符号５１３ｂはレジスタ群５１３に内設され映像音声処理部５２０の電力制御を行うための電力制御レジスタを示す。符号５１３ｃはレジスタ群５１３に内設され通信状態検知回路５２３からの情報を保持する通信状態レジスタを示す。
【０００６】
符号５１１はレジスタ群５１３に内設された任意のレジスタの情報変化を外部に通知する割り込み通知部を示す。符号５１２は任意の外部制御装置との通信を行うＩ２Ｃバスインターフェース部（Ｉ２Ｃ  Ｉ／Ｆ部）を示す。符号５１０は接続状態検知回路５１４と、レジスタ群５１３と、割り込み通知部５１１と、Ｉ２Ｃバスインターフェース部５１２から構成される制御部を示す。
【０００７】
符号５６０はＩ２Ｃバスを示す。
【０００８】
符号５００は制御部５１０と映像音声処理部５２０とからなる送信デバイスを示す。符号５３０は送信デバイス５００とＩ２Ｃバス５６０によって接続された外部制御装置を示す。
【０００９】
外部制御装置５３０はＩ２Ｃバス５６０を経由してレジスタ群５１３に内設されたレジスタに所望の設定を行う。ディジタル処理部５２２はレジスタ群５１３に内設されたレジスタの設定値に応じて、入力された映像音声情報の処理を行い通信処理部５２１へ引き渡す。通信処理部５２１はディジタル処理部５２２から受け取った映像音声情報をＨＤＭＩケーブル５５０経由で受信装置５４０へ伝送する。受信装置５４０は送信デバイス５００から受信した映像音声情報を任意の装置に表示あるいは任意の装置に保存する。なおここでは、受信装置５４０および後段の処理等については説明を省略する。
【００１０】
例えば、送信デバイス５００は、任意の外部装置（図示せず）より解像度６４０×４８０の映像情報および音声情報が入力されているとし、一方、受信装置５４０は解像度６４０×４８０或いは１９２０×１０８０の映像情報および音声情報を扱うことができるとする。このとき外部制御装置５３０によって解像度６４０×４８０のまま映像情報を送信する設定になっていれば、ディジタル処理部５２２では入力されている解像度６４０×４８０の映像情報に対して何の処理も行なわず、通信処理部５２１にて解像度６４０×４８０の映像情報および音声情報をＨＤＭＩ規格に準拠したデータパケットに変換し受信装置５４０へ送信する。
【００１１】
又、外部制御装置５３０によって解像度１９２０×１０８０で映像情報を送信する設定になっていれば、ディジタル処理部５２２で解像度の変更（６４０×４８０→１９２０×１０８０）を行ない、通信処理部５２１にて変更された映像情報および音声情報をＨＤＭＩ規格に準拠したデータパケットに変換し受信装置５４０へ送信する。
【００１２】
送信デバイス５００と受信装置５４０とがＨＤＭＩケーブル５５０にて接続されている状態の時、接続状態検知回路５１４は接続状態レジスタ５１３ａにＨｉｇｈ（以降、“Ｈ”と称す）レベル情報を書き込み、接続されていない（両装置ともＨＤＭＩケーブル５５０が接続されていないあるいは、どちらか一方のみ接続されていない）状態の時Ｌｏｗ（以降、“Ｌ”と称す）レベル情報を書き込む。
【００１３】
接続状態検知回路５１４からレベル情報を書き込まれる接続状態レジスタ５１３ａは、レベル情報が書き換えられる毎に割り込み通知部５１１を経由して外部制御装置５３０に対してレベル情報の変化を通知する。外部制御装置５３０は割り込み通知部５１１からの通知により、Ｉ２Ｃバス５６０を経由して接続状態レジスタ５１３ａの内容を読み出す。
【００１４】
外部制御装置５３０は、割り込み通知部５１１からの通知後、接続状態レジスタ５１３ａから読み出した情報が“Ｌ”レベルの場合は、送信デバイス５００と受信装置５４０とがＨＤＭＩケーブル５５０にて接続されていないと判断し、Ｉ２Ｃバス５６０を経由して、レジスタ群５１３に内設されている通信処理部５２１用の制御レジスタ（図示せず）に所定（“Ｌ”又は“Ｈ”）のレベル情報を書き込み、通信処理部５２１の送信動作を停止させ、受信装置５４０への映像・音声情報送信を停止させる。
【００１５】
さらに、受信装置５４０と接続されていないと言うことは、送信デバイス５００が単独未使用の状態であり、この場合送信デバイス５００の電力を抑制することが望ましいので、Ｉ２Ｃバス５６０を経由して電力制御レジスタ５１３ｂに“Ｌ”レベル情報を書き込み、映像音声処理部５２０の動作を停止させ電力抑制状態にする。
【００１６】
もし割り込み通知部５１１からの通知後、接続状態レジスタ５１３ａから読み出した情報が“Ｈ”レベルの場合は、送信デバイス５００と受信装置５４０がＨＤＭＩケーブル５５０にて接続されていると判断し、Ｉ２Ｃバス５６０を経由して電力制御レジスタ５１３ｂに“Ｈ”レベル情報を書き込み、映像音声処理部５２０の停止を解除（電力抑制状態を解除）し、レジスタ群５１３に内設されたレジスタの設定値に応じた処理を行う。
【００１７】
また、割り込み通知部５１１からの通知を用いる以外に、外部制御装置５３０が任意の時間毎にＩ２Ｃバス５６０を経由して接続状態レジスタ５１３ａの内容を読み出し、その情報が“Ｈ”レベルなのか“Ｌ”レベルなのかを判断し、その結果に応じて電力制御レジスタ５１３ｂを用いた電力制御を行う方法もある。
【００１８】
送信デバイス５００と受信装置５４０とがＨＤＭＩケーブル５５０にて接続されている状態（接続状態レジスタ５１３ａの内容が“Ｈ”レベルの場合）において、受信装置５４０の電源が切られた場合や、送信デバイス５００との通信が不可能となった場合、信号線５５０ａの所定信号が“Ｌ”レベルになり、通信が可能となった場合、信号線５５０ａの所定信号が“Ｈ”レベルになる。
【００１９】
通信状態検知回路５２３は、信号線５５０ａの所定信号が“Ｌ”レベルであることを検知すると、通信状態レジスタ５１３ｃに“Ｌ”レベル情報を書き込み、“Ｈ”レベルであることを検知すると、通信状態レジスタ５１３ｃに“Ｈ”レベル情報を書き込む。さらに、通信状態レジスタ５１３ｃの状態が変化する毎に、割り込み通知部５１１により外部制御装置５３０へ通信状態レジスタ５１３ｃの変化が通知される。
【００２０】
外部制御装置５３０は割り込み通知部５１１からの通知後、通信状態レジスタ５１３ｃの内容が“Ｌ”レベルの場合、電力制御レジスタ５１３ｂに“Ｌ”レベル情報を書き込み、映像音声処理部５２０の動作を停止させ電力抑制状態にする。これは受信装置５４０とはＨＤＭＩケーブル５５０にて接続されている状態であるが、受信装置５４０と通信を行わない送信デバイス５００は単独未使用の状態であるのと同じであるため、このような電力制御を行う。通信状態レジスタ５１３ｃの内容が“Ｈ”レベルの場合、電力制御レジスタ５１３ｂに“Ｈ”レベル情報を書き込む。この場合、映像音声処理部５２０の動作は停止しないので、送信デバイス５００と受信装置５４０との間の映像音声伝送が続けられる。
【００２１】
このような送信デバイス５００を応用した分野においても、ケーブル挿抜または、接続相手機器の状態変化という些細なことに対して的確な電力制御により低消費電力化を図り、省エネルギー／二酸化炭素排出等の環境問題に対して取り組むことが必須事項となっている。
【００２２】
このような構成に対し、低消費電力化を実現するデバイスとしては、特許文献１のようなものがある。
【特許文献１】特開２００５−２１６０４６号公報
【発明の開示】
【発明が解決しようとする課題】
【００２３】
しかしながら、上記のような構成では、送信デバイス５００の電力制御において、外部制御装置５３０が「割り込み通知部５１１からの通知待ち」→「接続状態レジスタ５１３ａの内容読み出し」→「接続状態レジスタ５１３ａの内容判別」→「電力制御レジスタ５１３ｂの設定」あるいは、「接続状態レジスタ５１３ａの内容読み出し（情報が変化するまで繰り返す）」→「接続状態レジスタ５１３ａの内容判別」→「電力制御レジスタ５１３ｂの設定」という複数の処理を行う。さらに、レジスタ群５１３への読み書きはＩ２Ｃバス５６０を経由して行うため、この通信速度も加味すると、ＨＤＭＩケーブル５５０が非接続状態になってから電力抑制状態に至るまであるいは、ＨＤＭＩケーブル５５０が接続状態になってから電力抑制解除するまで時間を要していた。
【００２４】
さらに、ＨＤＭＩケーブル５５０にて送信デバイス５００と受信装置５４０とが接続されている状態で、受信装置５４０が電源を切った場合や、送信デバイス５００との通信が不可能になり通信状態検知回路５２３によって電力抑制状態に至った場合、映像音声処理部５２０が停止状態になっているので内設されている通信状態検知回路５２３も停止状態になる。ＨＤＭＩケーブル５５０ａの所定信号が“Ｌ”レベルに変化したことは割り込み通知部５１１からの通知や、通信状態レジスタ５１３ｃの内容を読み出すことで判別可能であるが、ＨＤＭＩケーブル５５０ａの所定信号が“Ｈ”レベルに変化したことは検知できないので電力抑制解除を行うことができなかった。
【００２５】
本発明の目的は、接続状態検知回路での判別結果を基に、制御手段を直接制御して外部制御装置を介さずに短時間で電力制御を行うことができる送信デバイスを提供することである。
【００２６】
本発明の他の目的は、外部装置とケーブル接続されている状態において通信状態検知回路を機能させ、その判別結果を基に接続状態検知回路と同様の電力制御を行うことができる送信デバイスを提供することである。
【課題を解決するための手段】
【００２７】
上記課題を解決するために、本発明の送信デバイスは、映像音声データをディジタル処理するディジタル処理手段と、ディジタル処理手段からのデータを任意の外部装置へ送信する通信処理手段と、通信処理手段と外部装置とが接続状態であるかどうかを判別する接続状態判別手段と、ディジタル処理手段および通信処理手段を電力制御を含んで制御する制御手段と、制御手段の状態を任意の外部制御装置に対して通知する通知手段と、外部制御装置と制御手段との通信を行うインターフェース手段とを備え、接続状態判別手段は、外部装置との接続状態を判別した結果に基づいて制御手段を直接制御することにより制御手段にディジタル処理手段および通信処理手段の電力制御を行わせる。
【００２８】
この構成によれば、接続状態検知手段により制御手段を直接制御することで、ディジタル処理手段および通信処理手段の電力制御を行うので、電力制御を自動的にかつ短時間で行うことができる。また、外部制御装置を介して電力制御を行うのではないので、外部制御装置は電力制御に関する処理時間を他の処理に割り当てることが可能になり、外部制御装置の使用効率を向上できる。
【００２９】
上記構成において、接続状態判別手段により制御手段を直接制御することによるディジタル処理手段および通信処理手段の電力制御の有効と無効とを切り替える第１の電力制御切り替え手段を備えることが好ましい。
【００３０】
この構成によれば、第１の電力制御切り替え手段を設けたことにより、仕様（状況）に応じた制御方法を選択することが可能になり使い勝手の向上を図れる。
【００３１】
上記構成においては、第１の電力制御切り替え手段は、制御手段によって切り替え制御されることが好ましい。
【００３２】
上記構成においては、外部装置と通信処理手段との間の通信が可能か不可能かを判別する通信状態判別手段を備え、通信状態判別手段は、ディジタル処理手段および通信処理手段とは電源が分離して設けられ、通信状態判別手段は、外部装置との通信状態を判別した結果に基づいて制御手段を直接制御することにより制御手段にディジタル処理手段および通信処理手段の電力制御を行わせることが好ましい。
【００３３】
この構成によれば、通信状態制御回路により、制御手段を直接制御することで、ディジタル処理手段および通信処理手段の電力制御を行うので、電力制御を自動的にかつ短時間で行うことができる。また、外部制御装置を介して電力制御を行うのではないので、外部制御装置は電力制御に関する処理時間を他の処理に割り当てることが可能になり、外部制御装置の使用効率を向上できる。
【００３４】
上記構成においては、通信状態判別手段により制御手段を直接制御することによるディジタル処理手段および通信処理手段の電力制御の有効と無効とを切り替える第２の電力制御切り替え手段を備えることが好ましい。
【００３５】
この構成によれば、第２の電力制御切り替え手段を設けたことにより、仕様（状況）に応じた制御方法を選択することが可能になり使い勝手の向上を図れる。
【００３６】
上記構成においては、第２の電力制御切り替え手段は、制御手段によって切り替え制御されることが好ましい。
【発明の効果】
【００３７】
この構成によって、ケーブル挿抜発生時、外部制御装置を介さずに短時間で電力制御を行うことが可能になるので省電力区間が伸び、より消費電力を抑えることができる。
【００３８】
さらに、ケーブルによって相手機器（外部装置）と接続されている状態においても同様の電力制御が可能となり、同様に省電力区間が伸び、より消費電力を抑えることができる。
【００３９】
さらに、電力制御方法を切り替え可能とすることで、仕様（状況）に応じて柔軟に対応できるので使い勝手の良いデバイスになる。
【発明を実施するための最良の形態】
【００４０】
以下、本発明の実施の形態を、図面を参照しながら説明する。
【００４１】
（実施の形態１）
以下、本発明の実施の形態１について図面を参照しながら説明する。
【００４２】
図１は本発明の送信デバイスの構成を示すブロック図である。同図において、符号１４０はＨＤＭＩ受信デバイスを備えた受信装置を示す。符号１５０は映像音声情報の伝送に使用されるＨＤＭＩケーブルを示し、符号１５０ａおよび１５０ｂはＨＤＭＩケーブル１５０を構成する信号線を示す。信号線１５０ａには映像音声情報や受信装置１４０との通信が可能か不可能かを示す情報が伝送され、信号線１５０ｂには受信装置１４０と接続状態であるかどうかを示す情報が伝送される。
【００４３】
符号１２２は映像音声情報のディジタル処理を行うディジタル処理部を示す。符号１２１はディジタル処理部１２２からの映像音声情報を受信装置１４０へ伝送する通信処理部を示す。符号１２３は通信処理部１２１に内設され受信装置１４０との通信可能／不可能状態を判別する通信状態検知回路を示す。符号１２０は通信処理部１２１とディジタル処理部１２２とから構成される映像音声処理部を示す。
【００４４】
符号１１４はＨＤＭＩケーブル１５０によって受信装置１４０と接続されているかを判別する接続状態検知回路を示す。符号１１３は映像音声処理部１２０の制御を行うレジスタ群を示す。これのレジスタ群１１３は制御手段として機能する。符号１１３ａはレジスタ群１１３に内設され接続状態検知回路１１４からの情報を保持する接続状態レジスタを示す。符号１１３ｂはレジスタ群１１３に内設され映像音声処理部１２０の電力制御を行うための電力制御レジスタを示す。この電力制御レジスタ１１３ｂは接続状態検知回路１１４から直接制御可能な構成になっており、“Ｌ”レベルが書き込まれると映像音声処理部１２０を停止し電力抑制状態へ、“Ｈ”レベルが書き込まれると映像音声処理部１２０の停止を解除し電力抑制状態も解除する。符号１１３ｃはレジスタ群１１３に内設され通信状態検知回路１２３からの情報を保持する通信状態レジスタを示す。なお、レジスタ群１１３には、上記の各レジスタ以外に、ディジタル処理部１２２および通信処理部１２１の制御用のレジスタ（図示せず）が含まれる。
【００４５】
符号１１１はレジスタ群１１３に内設されたレジスタの情報変化を外部に通知する割り込み通知部を示す。符号１１２は任意の外部制御装置１３０との通信を行うＩ２Ｃバスインターフェース部（Ｉ２Ｃ  Ｉ／Ｆ部）を示す。符号１１０Ａは接続状態検知回路１１４と、レジスタ群１１３と、割り込み通知部１１１と、Ｉ２Ｃバスインターフェース部１１２とから構成される制御部を示す。
【００４６】
符号１６０はＩ２Ｃバスを示す。
【００４７】
符号１００は制御部１１０Ａと、映像音声処理部１２０とからなる送信デバイスを示す。符号１３０は送信装置１００とＩ２Ｃバス１６０によって接続された外部制御装置を示す。
【００４８】
外部制御装置１３０はＩ２Ｃバス１６０を経由してレジスタ群１１３に内設されたレジスタに所望の設定を行う。ディジタル処理部１２２はレジスタ群１１３に内設されたレジスタの設定値に応じて、入力された映像音声情報の処理を行い通信処理部１２１へ引き渡す。通信処理部１２１はディジタル処理部１２２から受け取った映像音声情報をＨＤＭＩケーブル１５０経由で受信装置１４０へ伝送する。受信装置１４０は送信デバイス１００から受信した映像音声情報を任意の装置に表示あるいは任意の装置に保存する。なおここでは、受信装置１４０および後段の処理等については説明を省略する。
【００４９】
送信デバイス１００と受信装置１４０とがＨＤＭＩケーブル１５０にて接続されている状態の時、接続状態検知回路１１４は接続状態レジスタ１１３ａに接続状態を示す“Ｈ”レベル情報を書き込むと同時に、電力制御レジスタ１１３ｂにも“Ｈ”レベル情報を書き込む。電力制御レジスタ１１３ｂは“Ｈ”レベル情報が書き込まれた場合、送信デバイス１００の電力抑制を行わない仕様になっているので、レジスタ群１１３の設定値に応じた処理を継続する。
【００５０】
送信デバイス１００と受信装置１４０がＨＤＭＩケーブル１５０にて接続されていない時あるいは、どちらか一方のみ非接続状態の時、接続状態検知回路１１４は接続状態レジスタ１１３ａに非接続状態を示す“Ｌ”レベル情報を書き込むと同時に、電力制御レジスタ１１３ｂにも“Ｌ”レベル情報を書き込む。電力制御レジスタ１１３ｂは“Ｌ”レベル情報が書き込まれた場合、送信デバイス１００の電力抑制を行う仕様になっているので、映像音声処理部１２０を停止し電力抑制状態へ移行する。映像音声処理部１２０を停止しているので、送信デバイス１００から受信装置１４０への映像音声情報伝送も停止することになる。なおこのとき制御部１１０Ａは停止させない。
【００５１】
接続状態検知回路１１４から現在の接続状態を示すレベル情報が書き込まれる接続状態レジスタ１１３ａは、レベル情報が変化する（“Ｈ”→“Ｌ”あるいは“Ｌ”→“Ｈ”）毎に割り込み通知部１１１を経由して外部制御装置１３０に対してレベル情報の変化を通知する。
【００５２】
外部制御装置１３０は割り込み通知部１１１からの通知により、Ｉ２Ｃバス１６０を経由して接続状態レジスタ１１３ａの内容を読み出し現在の電力制御状態を得ることになる。あるいは、割り込み通知部１１１からの通知に関わらず、Ｉ２Ｃバス１６０を経由して接続状態レジスタ１１３ａの内容を読み出し続けることで、現在の電力制御状態を得る方法でも良い。
【００５３】
以上のように本実施の形態１によれば、接続状態検知回路１１４により電力制御用の電力制御レジスタ１１３ｂを直接制御することで、送信デバイス１００の電力制御を自動的かつ短時間で行うことができる。
【００５４】
さらに、外部制御装置１３０は電力制御に関する処理時間を他の処理に割り当てることが可能になり、外部制御装置１３０の使用効率を向上できる。また、電力制御状態はいつでも外部制御装置１３０に対して通知可能状態である。
【００５５】
なお、情報レベルの定義、電力抑制状態における各部の停止制御仕様は、本実施の形態１の限りではない。
【００５６】
（実施の形態２）
以下、本発明の実施の形態２について図面を参照しながら説明する。
【００５７】
図２は本発明の実施の形態２の送信デバイスに内設されている制御部１１０Ｂの構成を示すブロック図である。この制御部１１０Ｂは、図１の制御部１１０Ａに代えて用いられるものであり、それ以外の送信デバイスの構成は、図１に示した実施の形態１と同様であるので、図示および説明を省略する。
【００５８】
符号１１４ａは接続状態検知回路１１４で検知された、ＨＤＭＩケーブル１５０の接続状態を示すレベル情報（“Ｈ”あるいは“Ｌ”）を使って電力制御レジスタ１１３ｂを直接制御するかどうかを切り替える第１切り替え手段を示す。
【００５９】
符号１１３ｅは第１切り替え手段１１４ａを制御する第１切り替え手段用レジスタを示す。第１切り替え手段用レジスタ１１３ｅは、レジスタ群１１３に内設されているので、Ｉ２Ｃバス１６０を経由して外部制御装置１３０から読み書きが可能である。
【００６０】
外部制御装置１３０により、第１切り替え手段用レジスタ１１３ｅに“Ｈ”レベル情報が設定されると、接続状態検知回路１１４による電力制御レジスタ１１３ｂの直接制御を許可するように第１切り替え手段１１４ａが切り替えられる。なお、接続状態レジスタ１１３ａへのレベル情報の書き込みは第１切り替え手段用レジスタ１１３ｅの設定にかかわらず行われる。以降の動作については、実施の形態１の内容と同一のため、ここでは説明を省略する。
【００６１】
外部制御装置１３０により、第１切り替え手段用レジスタ１１３ｅに“Ｌ”レベル情報が設定されると接続状態検知回路１１４による電力制御レジスタ１１３ｂの直接制御を禁止するように第１切り替え手段１１４ａが切り替えられる。なお、接続状態レジスタ１１３ａへのレベル情報の書き込みは第１切り替え手段用レジスタ１１３ｅの設定に関わらず行われる。この場合、送信デバイス１００の電力制御は自動的に行われないので、従来通り外部制御装置１３０により電力制御レジスタ１１３ｂに所望の設定値を書き込んで電力制御を行う。
【００６２】
以上のように本実施の形態２によれば、接続状態検知回路１１４による電力制御を自動制御あるいは手動制御のどちらかに切り替えられるようにすることで、仕様（状況）に応じた制御方法を選択することが可能になり使い勝手の向上を図れる。
【００６３】
なお、情報レベルの定義、電力抑制状態における各部の停止制御仕様は、本実施の形態２の限りではない。
【００６４】
（実施の形態３）
以下、本発明の実施の形態３について図面を参照しながら説明する。
【００６５】
図３は本発明の実施の形態３の送信デバイス１００Ｃの構成を示すブロック図である。この送信デバイス１００Ｃは、図１の送信デバイス１００に代えて用いられるものであり、それ以外の構成は、図１に示した実施の形態１と同様であるので、図示および説明を省略する。
【００６６】
この送信デバイス１００Ｃでは、通信状態検知回路１２３が映像音声処理部１２０から分離され、映像送信処理部１２０とは電源が独立した構成となっていて、映像送信処理部の電源が遮断されても、通信状態検知回路１２３への給電は継続する構成である。また、通信状態検知回路１２３が、通信状態レジスタ１１３ｃにデータを書き込むとともに、電力制御レジスタ１１３ｂにも直接データを書き込むようになっている。つまり、制御部１１０Ａに代えて制御部１１０Ｃが使用されている。
【００６７】
送信デバイス１００と受信装置１４０とがＨＤＭＩケーブル１５０にて接続されている状態で受信装置１４０が電源を切った場合や、通信不可能な状態になった場合でも、ＨＤＭＩケーブル１５０は接続状態であるので、接続状態検知回路１１４によるレベル情報の変化はなく、接続状態レジスタ１１３ａおよび、電力制御レジスタ１１３ｂは“Ｈ”レベル情報が保持される。しかし、通信状態検知回路１２３は受信装置１４０の電源が切られた場合や、通信不可能状態になると通信状態レジスタ１１３ｃに通信不可能状態を示す“Ｌ”レベル情報を書き込むと同時に、電力制御レジスタ１１３ｂにも“Ｌ”レベル情報を書き込むので、結果として電力制御レジスタ１１３ｂには“Ｌ”レベル情報が書き込まれることになる。この“Ｌ”レベル情報書き込みにより映像音声処理部１２０を停止し電力抑制状態へ移行する。外部制御装置１３０に対しては、割り込み通知部１１１により通信状態レジスタ１１３ｃの内容が変化したことを通知する。
【００６８】
送信デバイス１００と受信装置１４０がＨＤＭＩケーブル１５０にて接続されている状態で受信装置１４０の電源がオフ→オンや、通信不可能状態→通信可能状態になった場合、接続状態検知回路１１４によるレベル情報の変化はなく、接続状態レジスタ１１３ａには“Ｈ”レベルの情報が、電力制御レジスタ１１３ｂは“Ｌ”レベル情報が保持される。しかし通信状態検知回路１２３は、通信状態レジスタ１１３ｃに通信可能状態を示す“Ｈ”レベル情報を書き込むと同時に、電力制御レジスタ１１３ｂにも“Ｈ”レベル情報を書き込むので、結果として電力制御レジスタ１１３ｂには“Ｈ”レベル情報が書き込まれることになる。この“Ｈ”レベル情報書き込みにより映像音声処理部１２０の停止を解除し同時に電力抑制状態も解除となる。外部制御装置１３０に対しては、割り込み通知部１１１により通信状態レジスタ１１３ｃの内容が変化したことを通知する。
【００６９】
このように、映像音声処理部１２０の停止を解除できるのは、通信状態検知回路１２３が映像音声処理部１２０から分離され、通信状態検知回路１２３への給電が継続し、通信状態検知回路１２３が動作し続けているからである。
【００７０】
以上のように、本実施の形態３によれば、通信状態検知回路１２３により電力制御用の電力制御レジスタ１１３ｂを直接制御することで、送信デバイス１００Ｃの電力制御を自動的かつ短時間で行うことができる。
【００７１】
さらに外部制御装置は電力制御に関する処理時間を他の処理に割り当てることが可能になり外部制御装置の使用効率を向上できる。また、電力制御状態はいつでも外部制御装置に対して通知可能状態である。
【００７２】
さらに、通信状態検知回路１２３を分離するだけであるので、デバイス価格の上昇を抑えることができる。
【００７３】
なお、情報レベルの定義、電力抑制状態における各部の停止制御仕様は、本実施の形態３の限りではない。
【００７４】
なお、本実施の形態３において、実施の形態２と同様の第１切り替え手段が内設されている場合でも同じ実施内容となる。
【００７５】
（実施の形態４）
以下、本発明の実施の形態４について図面を参照しながら説明する。
【００７６】
図４は本発明の送信デバイスにおける制御部１１０Ｄおよび通信状態検知回路１２３Ｄの構成を示すブロック図である。その他の構成については、実施の形態１と同様であるので、図示および説明を省いている。
【００７７】
符号１２３ａは通信状態検知回路１２３で検知された通信状態を示すレベル情報（“Ｈ”あるいは“Ｌ”）を使って電力制御レジスタ１１３ｂを直接制御するかどうかを切り替える第２切り替え手段を示す。
【００７８】
符号１１３ｄは第２切り替え手段１２３ａを制御する第２切り替え手段用レジスタを示す。第２切り替え手段用レジスタ１１３ｄは、レジスタ群１１３に内設されているので、Ｉ２Ｃバス１６０を経由して外部制御装置１３０から読み書きが可能である。
【００７９】
通信状態検知回路１２３は、図３と同様に、映像音声処理部１２０とは分離され、電源が独立している。
【００８０】
外部制御装置１３０により、第２切り替え手段用レジスタ１１３ｄに“Ｈ”レベル情報が設定されると、通信状態検知回路１２３による電力制御レジスタ１１３ｂの直接制御を許可するように第２切り替え手段１２３ａが切り替えられる。なお、通信状態レジスタ１１３ｃへのレベル情報の書き込みは第２切り替え手段用レジスタ１１３ｄの設定にかかわらず行われる。以降の動作については、実施の形態３の内容と同一のため、ここでは説明を省略する。
【００８１】
外部制御装置１３０により、第２切り替え手段用レジスタ１１３ｄに“Ｌ”レベル情報が設定されると、通信状態検知回路１２３Ｄによる電力制御レジスタ１１３ｂの直接制御を禁止するように第２切り替え手段１２３ａが切り替えられる。なお、通信状態レジスタ１１３ｃへのレベル情報の書き込みは第２切り替え手段用レジスタ１１３ｄの設定にかかわらず行われる。
【００８２】
この場合、電力制御は自動的に行われないので、従来通り外部制御装置１３０により電力制御レジスタ１１３ｂに所望の設定値を書き込んでの電力制御を行う。
【００８３】
以上のように本実施の形態４によれば、通信状態検知回路１２３Ｄによる電力制御を自動制御あるいは手動制御のどちらかに切り替えられるようにすることで、仕様（状況）に応じた制御方法を選択することが可能になり使い勝手の向上が図れる。
【００８４】
なお、本実施の形態４において、実施の形態２と同様の第１切り替え手段が内設されている場合でも同じ実施内容となる。
【００８５】
なお、情報レベルの定義、電力抑制状態における各部の停止制御仕様は、本実施の形態４の限りではない。
【産業上の利用可能性】
【００８６】
本発明の送信デバイスは、映像および音声情報を伝送するために使用される高速インターフェースの電力制御を行うのに有用である。
【図面の簡単な説明】
【００８７】
【図１】本発明の実施の形態１の送信デバイスの構成を示すブロック図である。
【図２】本発明の実施の形態２の切り替え手段を内設した送信デバイスの構成を示すブロック図である。
【図３】本発明の実施の形態３の送信デバイスの構成を示すブロック図である。
【図４】本発明の実施の形態４の切り替え手段を内設した送信デバイスの構成を示すブロック図である。
【図５】従来の送信デバイスの構成を示すブロック図である。
【符号の説明】
【００８８】
１００  …送信デバイス
１１０  …制御部
１１１  …割り込み通知部
１１２  …Ｉ２Ｃバスインターフェース部
１１３  …レジスタ群
１１３ａ…接続状態レジスタ
１１３ｂ…電力制御レジスタ
１１３ｃ…通信状態レジスタ
１１４  …接続状態検知回路
１２０  …映像音声処理部
１２１  …通信処理部
１２２  …ディジタル処理部
１２３  …通信状態検知回路
１３０  …外部制御装置
１４０  …受信装置
１５０  …ＨＤＭＩケーブル
１５０ａ…ＨＤＭＩケーブルを構成する信号線
１５０ｂ…ＨＤＭＩケーブルを構成する信号線
１６０  …Ｉ２Ｃバス
【図１】
2008204267.tif 000003
【図２】
2008204267.tif 000004
【図３】
2008204267.tif 000005
【図４】
2008204267.tif 000006
【図５】
2008204267.tif 000007